(57)【要約】【課題】目的のフォルダに移動することなく、一つのフローで複数のフォルダのフォルダショートカットを作成し、作成したフォルダショートカットを選択したフォルダに保存するショートカット作成装置を提供すること。【解決手段】本発明に係るショートカット作成装置は、（１）基準フォルダのフォルダショートカットを関連フォルダ下に作成する単方向ショートカット作成手段と、（２）関連フォルダのフォルダショートカットを基準フォルダ下に作成する単方向ショートカット作成手段と、（３）基準フォルダのフォルダショートカットを関連フォルダ下に作成し、関連フォルダのフォルダショートカットを基準フォルダ下に作成する双方向ショートカット作成手段と、（４）基準フォルダ及び関連フォルダの各フォルダショートカットを自らのフォルダ下以外のフォルダ下に作成するマルチショートカット作成手段とを備える。【選択図】図８
2014119886.tif 000002
【特許請求の範囲】
【請求項１】
基準フォルダと、前記基準フォルダと関連のあるフォルダとを選択することにより、前記基準フォルダのフォルダショートカットを前記基準フォルダと関連のあるフォルダの下に作成する、単方向のショートカットを作成する手段と、
前記基準フォルダと、前記基準フォルダと関連のあるフォルダとを選択することにより、前記基準フォルダと関連のあるフォルダのフォルダショートカットを前記基準フォルダの下に作成する、単方向のショートカットを作成する手段と、
前記基準フォルダと、前記基準フォルダと関連のあるフォルダとを選択することにより、前記基準フォルダのフォルダショートカットを前記基準フォルダと関連のあるフォルダの下に作成し、前記基準フォルダと関連のあるフォルダのフォルダショートカットを前記基準フォルダの下に作成する、双方向のショートカットを作成する手段と、
前記基準フォルダと、前記基準フォルダと関連のある２つ以上のフォルダとを選択することにより、前記基準フォルダと、前記基準フォルダと関連のある２つ以上のフォルダとの各フォルダショートカットを自らのフォルダの下を除くフォルダの下に作成する、マルチなショートカットを作成する手段と
のうちの少なくとも一つを備えたことを特徴とするショートカット作成装置。
【請求項２】
前記基準フォルダと、前記基準フォルダと関連のある文書とを選択することにより、前記基準フォルダと関連のある文書のショートカットを前記基準フォルダの下に作成する、単方向のショートカットを作成する手段と、
基準文書と、前記基準文書と関連のあるフォルダとを選択することにより、前記基準文書のショートカットを前記基準文書と関連のあるフォルダの下に作成する、単方向のショートカットを作成する手段と
うちの少なくとも一つを更に備えたことを特徴とする請求項１に記載のショートカット作成装置。
【請求項３】
作成したショートカットをショートカットからの移動時のみ表示させる設定をする手段と、
作成したショートカットをショートカットからの移動時のみ表示させる手段と
を備えたことを特徴とする請求項１に記載のショートカット作成装置。
【請求項４】
作成すべきショートカットの種類をユーザに選択させるための画面を表示する表示手段と、
前記表示手段で表示された画面にてユーザにより選択されたショートカットの種類に基づいて、前記単方向のショートカットと前記双方向のショートカットと前記マルチなショートカットのいずれを作成するか判断する判断手段と、
を更に備えたことを特徴とする請求項１に記載のショートカット作成装置。
【請求項５】
基準フォルダと、前記基準フォルダと関連のあるフォルダとを選択することにより、前記基準フォルダのフォルダショートカットを前記基準フォルダと関連のあるフォルダの下に作成する、単方向のショートカットを作成するステップと、
前記基準フォルダと、前記基準フォルダと関連のあるフォルダとを選択することにより、前記基準フォルダと関連のあるフォルダのフォルダショートカットを前記基準フォルダの下に作成する、単方向のショートカットを作成するステップと、
前記基準フォルダと、前記基準フォルダと関連のあるフォルダとを選択することにより、前記基準フォルダのフォルダショートカットを前記基準フォルダと関連のあるフォルダの下に作成し、前記基準フォルダと関連のあるフォルダのフォルダショートカットを前記基準フォルダの下に作成する、双方向のショートカットを作成するステップと、
前記基準フォルダと、前記基準フォルダと関連のある２つ以上のフォルダとを選択することにより、前記基準フォルダと、前記基準フォルダと関連のある２つ以上のフォルダとの各フォルダショートカットを自らのフォルダの下を除くフォルダの下に作成する、マルチなショートカットを作成するステップと
のうちの少なくとも一つを備えたことを特徴とするショートカットを作成する方法。
【請求項６】
コンピュータを、請求項１乃至４の何れかに記載のショートカット作成装置として機能させるための、プログラム。
【発明の詳細な説明】
【技術分野】
【０００１】
本発明は、フォルダショートカットを作成する装置、方法、及びプログラムに関する。具体的には、本発明は、複数のフォルダのフォルダショートカットを作成し、作成したフォルダショートカットを選択したフォルダに保存する装置、方法、及びプログラムに関する。
【背景技術】
【０００２】
文書管理システム上で目的のフォルダを探す場合、ツリー上のフォルダやフォルダ内ペイン上のフォルダを選択し、階層を下って探すのが一般的な方法である。また、前記方法の手順を省略するために、目的のフォルダのフォルダショートカットを作成し、作成したフォルダショートカットを選択することで当該目的のフォルダに移動する方法もある。しかし、関連する複数のフォルダをまたがって作業するユーザにとって、複数のフォルダに対するフォルダショートカットを作成し、必要なフォルダ下に移動させる作業は手間となる。
【０００３】
特許文献１には、ユーザ間で情報を共有する技術が開示されている。特許文献１に記載のシステムでは、他ユーザの情報を共有するために、ユーザが他ユーザのフォルダに移動して閲覧した際、他ユーザのフォルダのポインタをユーザのフォルダに格納し、ユーザのフォルダのポインタを他ユーザのフォルダに格納する。これにより、ユーザのフォルダと、他ユーザのフォルダとの間に双方向リンクを張り、ユーザ間で情報を共有する。
【先行技術文献】
【特許文献】
【０００４】
【特許文献１】特開２０００−３２２４４１号公報
【発明の概要】
【発明が解決しようとする課題】
【０００５】
しかしながら、特許文献１のような先行技術では、目的のフォルダに移動しなければリンクを張りあうことができない。また、張ることが可能なリンクは双方向リンクであるため、一つのフローで２つしかフォルダのショートカットを作成することができないという課題がある。
【０００６】
本発明は、上記の課題を鑑みてなされたものである。本発明の目的は、目的のフォルダに移動することなく、一つのフローで複数（２個以上）のフォルダのフォルダショートカットを作成し、作成したフォルダショートカットを選択したフォルダに保存する装置、方法、及びプログラムを提供することである。
【課題を解決するための手段】
【０００７】
本発明は、基準フォルダと、前記基準フォルダと関連のあるフォルダとを選択することにより、前記基準フォルダのフォルダショートカットを前記基準フォルダと関連のあるフォルダの下に作成する、単方向のショートカットを作成する手段と、前記基準フォルダと、前記基準フォルダと関連のあるフォルダとを選択することにより、前記基準フォルダと関連のあるフォルダのフォルダショートカットを前記基準フォルダの下に作成する、単方向のショートカットを作成する手段と、前記基準フォルダと、前記基準フォルダと関連のあるフォルダとを選択することにより、前記基準フォルダのフォルダショートカットを前記基準フォルダと関連のあるフォルダの下に作成し、前記基準フォルダと関連のあるフォルダのフォルダショートカットを前記基準フォルダの下に作成する、双方向のショートカットを作成する手段と、前記基準フォルダと、前記基準フォルダと関連のある２つ以上のフォルダとを選択することにより、前記基準フォルダと、前記基準フォルダと関連のある２つ以上のフォルダとの各フォルダショートカットを自らのフォルダの下を除くフォルダの下に作成する、マルチなショートカットを作成する手段とのうちの少なくとも一つを備えたことを特徴とするショートカット作成装置である。
【発明の効果】
【０００８】
本発明により、一つのフローで複数のフォルダのフォルダショートカットを作成し、作成したショートカットを選択したフォルダに保存するシステム、方法、及びプログラムを提供することができる。
【図面の簡単な説明】
【０００９】
【図１】本発明の実施例１に係る、文書管理システムのシステム概念図である。
【図２】本発明の実施例１に係る、文書管理サーバ装置のハードウェア構成図である。
【図３】本発明の実施例１に係る、文書管理サーバ装置のソフトウェア構成図である。
【図４】本発明の実施例１に係る、クライアント装置のハードウェア構成図である。
【図５】本発明の実施例１に係る、クライアント装置のソフトウェア構成図である。
【図６】本発明の実施例１に係る、ディスプレイ上に表示されたフォルダのプロパティ画面の一例を示す図である。
【図７】本発明の実施例１に係る、関連フォルダを１個選択したときのショートカット作成パターン表示の一例を示す図である。
【図８】本発明の実施例１に係る、関連フォルダを複数選択したときのショートカット作成パターン表示の一例を示す図である。
【図９】本発明の実施例１に係る、ショートカット作成パターンによってフォルダ下に作成されたショートカットを示す図である。
【図１０】本発明の実施例１に係る、ショートカット作成パターンに関するアクセス権による表示の変化を示す図である。
【図１１】本発明の実施例１に係る、ショートカット作成パターン表示処理の流れを示すフローチャートである。
【図１２】本発明の実施例１に係る、ショートカット作成パターンの選択、実行によるショートカット作成処理の流れを示すフローチャートである。
【図１３】本発明の実施例１に係る、単方向ショートカット作成処理及び双方向ショートカット作成処理の詳細な流れを示すフローチャートである。
【図１４】本発明の実施例１に係る、マルチショートカット作成処理の詳細な流れを示すフローチャートである。
【図１５】本発明の実施例２に係る、関連フォルダ・文書選択ツリー表示部に表示された文書のチェックボックスを選択した様子の一例を示す図である。
【図１６】本発明の実施例２に係る、関連フォルダ選択ツリー表示部に表示されたフォルダのチェックボックスを選択したときの様子の一例を示す図である。
【図１７】本発明の実施例２に係る、文書ショートカット作成リクエストを受信したときの文書ショートカット作成処理の流れを示すフローチャートである。
【図１８】本発明の実施例３に係る、「ホームショートカットリストに設定する」設定及び「ショートカットからの移動時のみ表示させる」設定を選択したときの様子の一例を示す図である。
【図１９】本発明の実施例３に係る、「ショートカットからの移動時のみ表示させる」設定を選択したときの、フォルダショートカット選択からの移動及びフォルダ本体選択からの移動によるアイテムリストの表示の違いを示す図である。
【図２０】本発明の実施例３に係る、ホーム画面からフォルダ本体の選択及びフォルダショートカットの選択による移動リクエストで表示されるフォルダ下アイテムリストの生成処理の流れを示すフローチャートである。
【発明を実施するための形態】
【００１０】
以下、本発明の発明を実施するための最良の形態について図面を用いて説明する。
【実施例１】
【００１１】
以下、本発明の第１の実施例（実施例１）を図１から図１４に基づき説明する。
【００１２】
［システム構成］
図１は、実施例１に係る、文書管理サーバ装置を含むシステム全体の構成を示す概念図である。図１に示すとおり、システムは、文書管理サーバ装置１０１と、クライアント装置１０２と、ネットワーク１００とから構成される。
【００１３】
文書管理サーバ装置１０１は、文書をバージョンで管理する機能を提供するものであり、クライアント装置１０２からの要求に応じて、管理している文書情報やファイルを提供する。
【００１４】
クライアント装置１０２は、文書管理サーバ装置１０１の文書情報の表示や操作を行う窓口となるものである。図１に示すように、このクライアント装置１０２はシステム内において特に一つに限定されるものではなく、複数存在することも可能である。
【００１５】
本実施例では、ネットワーク１００がインターネットであると仮定して説明するが、ネットワーク１００はLocal Area Network（本明細書では、ＬＡＮと略称される）等の他のネットワークシステムであっても構わない。
【００１６】
［文書管理サーバ装置のハードウェア構成］
図２は、実施例１に係る、文書管理サーバ装置のハードウェア構成図である。
【００１７】
中央演算装置（ＣＰＵ）２０１は、情報処理装置の演算・制御を司る。ランダムアクセスメモリ（ＲＡＭ）２０２は、ＣＰＵ２０１の主メモリとして機能する。また、ＲＡＭ２０２は、実行プログラムの記憶領域、当該実行プログラムの実行エリア、当該実行プログラムのデータエリアとして機能する。
【００１８】
リードオンリーメモリ（ＲＯＭ）２０３は、ＣＰＵ２０１の動作処理手順を記憶している。ＲＯＭ２０３は、情報処理装置の機器制御を行うシステムプログラムである基本ソフト（ＯＳ）を記録したプログラムＲＯＭと、システムを稼働するために必要な情報等が記録されているデータＲＯＭとから構成されている。また、ＲＯＭ２０３の代わりに、後述するＨＤＤ２０９を用いる場合もある。プログラムＲＯＭに記憶された本実施例を実行するプログラムをＣＰＵ２０１が実行することにより、本実施例に係る一連の処理がなされる。
【００１９】
ネットワークインターフェース（ＮＥＴＩＦ）２０４は、ネットワーク１００を介する外部装置とデータ転送を行うための制御や、ネットワーク１００に対する自機の接続状況の診断等を行う。ビデオＲＡＭ（ＶＲＡＭ）２０５は、後述するＬＣＤ２０６の画面に表示させるための画像を展開し、その画像の表示の制御を行う。
【００２０】
表示装置（ＬＣＤ）２０６は、情報処理装置の稼働状態等を表示するディスプレイ等である。
【００２１】
キーボードコントローラ（ＫＢＣ）２０７は、後述するＫＢ２０８からの入力信号を制御するためのコントローラである。
【００２２】
外部入力装置（ＫＢ）２０８は、ユーザが行う操作を受け付けるための装置である。例えばキーボードやマウス等のポインティングデバイスがＫＢ２０８として用いられる。
【００２３】
ハードディスクドライブ（ＨＤＤ）２０９は、アプリケーションプログラムや各種データ等を保存する。本実施例におけるアプリケーションプログラムとは、本実施例における各種処理部により実行されるソフトウェアプログラム等である。
【００２４】
外部入出力装置（ＦＤＤ）２１０は、フレキシブルディスクドライブ等の磁気記録媒体や、ＣＤ−ＲＯＭドライブ等の光記録媒体や、ＭＯ等の光磁気記録媒体等のリムーバブルディスク、メモリカード等の半導体記録媒体のデータを入出力するためのデバイスである。例えば、外部入出力装置（ＦＤＤ）２１０は、前述したアプリケーションプログラム等を記録媒体から読み出すために用いられる。
【００２５】
リムーバブル・メディア（ＦＤ）２１１は、ＦＤＤ２１０によって読み出されるデータを保存する取り外し可能なデータ記録媒体である。リムーバブル・メディア（ＦＤ）２１１は、例えば、磁気記録媒体（例えばフレキシブルディスク）、光記録媒体（例えばＣＤ−ＲＯＭ）、光磁気記録媒体（例えばＭＯ）、半導体記録媒体（例えばメモリカード）である。
【００２６】
尚、ＨＤＤ２０９に格納するアプリケーションプログラムやデータをＦＤＤ２１０がＦＤ２１１から読み出して使用することも可能である。
【００２７】
［文書管理サーバ装置のソフトウェア構成］
図３は、本発明の実施例１に係る、文書管理サーバ装置のソフトウェア構成図である。
【００２８】
文書管理サーバ装置１０１は、表示内容生成部３０１と、記憶部３０２と、入出力制御部３０３とから構成される。
【００２９】
表示内容生成部３０１は、ＲＡＭ２０２内に格納され、他の処理制御部における処理結果をクライアント装置１０２のユーザに示すための表示情報を生成する処理の制御を行う。
【００３０】
記憶部３０２は、ＨＤＤ２０９等の記憶装置からなり、文書管理サーバ装置が取得した文書情報や入出力情報を記憶している。
【００３１】
入出力制御部３０３は、ＲＡＭ２０２内に格納され、クライアント装置１０２への送信及びクライアント装置１０２からの受信を制御する。
【００３２】
［クライアント装置のハードウェア構成］
図４は、実施例１に係る、クライアント装置のハードウェア構成図である。
【００３３】
中央演算装置（ＣＰＵ）４０１は、情報処理装置の演算・制御を司る。ランダムアクセスメモリ（ＲＡＭ）４０２は、ＣＰＵ４０１の主メモリとして機能する。また、ＲＡＭ４０２は、実行プログラムの記憶領域、当該実行プログラムの実行エリア、当該実行プログラムのデータエリアとして機能する。
【００３４】
リードオンリーメモリ（ＲＯＭ）４０３は、ＣＰＵ４０１の動作処理手順を記憶している。ＲＯＭ４０３は、情報処理装置の機器制御を行うシステムプログラムである基本ソフト（ＯＳ）を記録したプログラムＲＯＭと、システムを稼働するために必要な情報等が記録されているデータＲＯＭとから構成されている。また、ＲＯＭ４０３の代わりに、後述するＨＤＤ４０９を用いる場合もある。プログラムＲＯＭに記憶された本実施例を実行するプログラムをＣＰＵ４０１が実行することにより、本実施例に係る一連の処理がなされる。
【００３５】
ネットワークインターフェース（ＮＥＴＩＦ）４０４は、ネットワーク１００を介した外部装置とデータ転送を行うための制御や、ネットワーク１００に対する自機の接続状況の診断等を行う。ビデオＲＡＭ（ＶＲＡＭ）４０５は、後述するＬＣＤ４０６の画面に表示させるための画像を展開し、その画像の表示の制御を行う。
【００３６】
表示装置（ＬＣＤ）４０６は、情報処理装置の稼働状態等を表示するディスプレイ等である。
【００３７】
キーボードコントローラ（ＫＢＣ）４０７は、後述するＫＢ４０８からの入力信号を制御するためのコントローラである。
【００３８】
外部入力装置（ＫＢ）４０８は、ユーザが行う操作を受け付けるための装置である。例えばキーボードやマウス等のポインティングデバイスがＫＢ４０８として用いられる。
【００３９】
ハードディスクドライブ（ＨＤＤ）４０９は、アプリケーションプログラムや各種データ等を保存する。本実施例におけるアプリケーションプログラムとは、本実施例における各種処理部により実行されるソフトウェアプログラム等である。
【００４０】
外部入出力装置（ＦＤＤ）４１０は、フレキシブルディスクドライブ等の磁気記録媒体や、ＣＤ−ＲＯＭドライブ等の光記録媒体や、ＭＯ等の光磁気記録媒体等のリムーバブルディスク、メモリカード等の半導体記録媒体のデータを入出力するためのデバイスである。例えば、外部入出力装置（ＦＤＤ）４１０は、前述したアプリケーションプログラム等を記録媒体から読み出すために用いられる。
【００４１】
リムーバブル・メディア（ＦＤ）４１１は、ＦＤＤ４１０によって読み出されるデータを保存する取り外し可能なデータ記録媒体である。リムーバブル・メディア（ＦＤ）４１１は、例えば、磁気記録媒体（例えばフレキシブルディスク）、光記録媒体（例えばＣＤ−ＲＯＭ）、光磁気記録媒体（例えばＭＯ）、半導体記録媒体（例えばメモリカード）である。
【００４２】
尚、ＨＤＤ４０９に格納するアプリケーションプログラムやデータをＦＤＤ４１０がＦＤ４１１から読み出して使用することも可能である。
【００４３】
［クライアント装置のソフトウェア構成］
図５は、実施例１に係る、クライアント装置のソフトウェア構成図である。
【００４４】
クライアント装置１０２は、表示内容処理制御部５０１と、記憶部５０２と、入出力制御部５０３とから構成される。
【００４５】
表示内容処理制御部５０１は、文書管理サーバ装置１０１から送信された表示内容に関する情報を解釈してＬＣＤ４０６上に表示し、外部入力装置（ＫＢ）４０８を用いて入力された送信情報を文書管理サーバ装置１０１に送信するための処理制御を行う。
【００４６】
記憶部５０２は、ＨＤＤ４０９等の記憶装置からなり、クライアント装置が取得した文書情報や入出力情報を記憶している。
【００４７】
入出力制御部５０３は、ＲＡＭ４０２内に格納され、ユーザによる入力、文書管理サーバ装置１０１への送信、及び文書管理サーバ装置１０１からの受信を制御する。
【００４８】
［作成パターン選択によるフォルダショートカット作成処理］
以下、図６〜図１０を用いて、ユーザにより指定されたフォルダのプロパティ画面上で、当該指定されたフォルダと関連するフォルダの選択と、ショートカット作成パターンの選択とを行い、フォルダショートカットを作成する方法を説明する。
【００４９】
図６は、ユーザがフォルダのプロパティを確認するために、クライアント装置１０２を介して文書管理サーバ装置１０１にアクセスしたときの、クライアント装置１０２のＬＣＤ４０６に表示されるフォルダのプロパティ画面６００の一例である。
【００５０】
プロパティ画面６００は、フォルダ情報表示部６０１と、関連フォルダ選択ツリー表示部６０２と、関連フォルダショートカット一覧表示部６０３とから構成される。フォルダ情報表示部６０１には、ユーザにより指定されたフォルダのフォルダ名や当該指定されたフォルダのショートカット名等、当該指定されたフォルダに関する情報が表示される。関連フォルダ選択ツリー表示部６０２には、ユーザにより指定されたフォルダと関連するフォルダがツリー表示される。関連フォルダショートカット一覧表示部６０３には、関連フォルダ選択ツリー表示部６０２における選択により作成されるフォルダショートカットがリスト表示される。
【００５１】
図７は、ユーザが関連フォルダ選択ツリー表示部に表示されたフォルダのチェックボックス６０４を一つ選択したときの様子を示している。選択チェックボックス６０４にチェックを入れると、選択したフォルダの横に、選択したフォルダのショートカット名入力テキストボックス７０１、ショートカット作成パターン（７０２〜７０４）、ラジオボックス７０５が表示される。ラジオボックス７０５のうちの一つにチェックを入れることにより、ショートカット作成パターンを選択する。
【００５２】
以下、ショートカット作成パターン「単方向［受］」７０２、「単方向［送］」７０３、「双方向」７０４について説明する。
【００５３】
作成パターン「単方向［受］」７０２を選択、実行した場合、選択フォルダ(図７に示す例ではフォルダＢ１１)のショートカットを基準フォルダ(図７に示す例ではフォルダＡ１)下に作成する処理を行う。
【００５４】
作成パターン「単方向［送］」７０３を選択、実行した場合、基準フォルダのショートカットを選択フォルダ下に作成する処理を行う。
【００５５】
作成パターン「双方向」７０４を選択、実行した場合、基準フォルダのショートカットを選択フォルダ下に作成する処理を行い、さらに、選択フォルダのショートカットを基準フォルダ下に作成する処理を行う。つまり、作成パターン「双方向」７０４を選択、実行した場合、作成パターン「単方向［受］」７０２と、「単方向［送］」７０３との処理を合わせた処理と等しい結果となる。また、作成されたフォルダショートカットは、「他ユーザと共有する」７０６を選択することで、フォルダショートカットを作成したユーザだけでなく、他の文書管理サーバのユーザと共有可能となる。ただし、作成されたフォルダショートカットは、当該作成されたフォルダショートカットのフォルダのアクセス権を持っていないユーザには表示されない。
【００５６】
図８は、ユーザが関連フォルダ選択ツリー表示部の選択チェックボックス６０４を２つ以上（図８に示す例では３個）選択したときの様子を示している。複数のフォルダの選択チェックボックス６０４にチェックを入れると、ショートカット作成パターン「マルチ」８０１が追加表示される。
【００５７】
以下、ショートカット作成パターン「マルチ」８０１について説明する。
【００５８】
２つ以上のフォルダに対して、作成パターン「マルチ」８０１を選択、実行した場合、基準フォルダと、全ての選択フォルダとの総ペア組み合わせに対して作成パターン「双方向」７０４の処理と等しい処理を行う。図８に示す例では、Ａ１とＢ１１、Ａ１とＣ１１、Ａ１とＣ１２、Ｂ１１とＣ１１、Ｂ１１とＣ１２、及びＣ１１とＣ１２の組み合わせに対して「双方向」７０４処理が行われる。
【００５９】
図９は、図７及び図８を用いて上述した例によって、ショートカット作成パターン(「単方向［受］」７０２、「単方向［送］」７０３、「双方向」７０４、「マルチ」８０１)により、基準フォルダ下及び選択フォルダ下に作成されたショートカットの一覧を示す。
【００６０】
選択したショートカット作成パターンの情報は、ショートカット管理情報として、文書管理サーバ装置の記憶部３０２に記憶される。
【００６１】
図１０は、ユーザの基準フォルダ及び選択フォルダに対するアクセス権によって、ショートカット作成パターンの表示が変化する様子をしている。本実施例では、作成権(選択フォルダ内のファイルの読み出し、作成、削除可能)、読み出し権(選択フォルダ内のファイルの読み出し可能。選択フォルダ内のファイルの作成、削除は不可)、読み出し不可権(フォルダ内のファイルの読み出し不可)の３つのアクセス権を想定する。
【００６２】
ショートカット作成パターン表示１００１は、ユーザが基準フォルダＡ１及び選択フォルダＤ１１に対して共に作成権を持っている場合に表示される。ただし、上記にも述べたように、マルチを表示させるには選択フォルダを２個以上選択する必要がある。
【００６３】
ショートカット作成パターン表示１００２は、ユーザが基準フォルダＡ１に対して作成権があり、選択フォルダＥ１１に対して読み出し権がある場合に表示される。ユーザは選択フォルダＥ１１に対して作成権がなく基準フォルダＡ１のショートカットをＥ１１下に作成できないため、ショートカット作成パターン「単方向［送］」、「双方向」、「マルチ」は表示されない。
【００６４】
ショートカット作成パターン表示１００３は、ユーザが基準フォルダＡ１に対して読み出し権があり、選択フォルダＦ１１に対して作成権がある場合に表示される。ユーザは基準フォルダＡ１に対して作成権がなく選択フォルダＦ１１のショートカットを基準フォルダＡ１下に作成できないため、ショートカット作成パターン「単方向［受］」、「双方向」、「マルチ」は表示されない。
【００６５】
ショートカット作成パターン表示１００４は、ユーザが基準フォルダＡ１及び選択フォルダＧ１１に対して読み出し権を持っている場合に表示される。ユーザは基準フォルダＡ１及び選択フォルダＧ１１に対して共に作成権がなく、基準フォルダＡ１下及び選択フォルダＧ１１下にショートカットを作成できないため、ショートカット作成パターンを表示させるチェックボックスは表示されない。フォルダアイコン自体表示させないようにしてもよい。なお、ユーザに対して読み出し不可のフォルダは、関連フォルダショートカット一覧表示部６０３には表示されない。
【００６６】
また、ユーザにより選択フォルダの選択解除及びショートカット作成パターンの変更があった場合、ショートカット管理情報を更新することで、作成したショートカットを削除することも可能である。
【００６７】
以下、フローチャート（図１１〜図１４）を交えて本システムに係る処理の流れについて説明する。
【００６８】
<選択可能なショートカット作成パターンの表示処理>
図１１は、図６に示すようなプロパティ画面及び図７に示すような選択ショートカット作成パターンを、クライアント装置１０２の表示内容処理制御部５０１が、クライアント装置１０２のＬＣＤ４０６に表示する処理の流れを示すフローチャートである。
【００６９】
ステップＳ１１０１において、クライアント装置１０２は、フォルダのプロパティ画面取得リクエストを文書管理サーバ装置１０１に送信する。
【００７０】
ステップＳ１１０２において、文書管理サーバ装置１０１は、記憶部３０２から当該フォルダについてのフォルダ情報(基本情報、パス、アクセス権情報)及び当該フォルダに関連するフォルダを選択するためにツリー表示されるフォルダの情報を取得する。以下では、フォルダに関連するフォルダを選択するためにツリー表示されるフォルダの情報を「関連フォルダ選択ツリー表示フォルダ情報」と称呼する。関連フォルダ選択ツリー表示フォルダ情報は、アクセス権情報、ショートカット作成パターン情報等を含む。
【００７１】
ステップＳ１１０３において、文書管理サーバ装置１０１の表示内容生成部３０１は、ステップＳ１１０２で取得したフォルダ情報及び関連フォルダ選択ツリー表示フォルダ情報よりフォルダのプロパティ画面情報を生成する。文書管理サーバ装置１０１の入出力制御部３０３は、生成したプロパティ画面情報をクライアント装置１０２に送信する。
【００７２】
ステップＳ１１０４において、クライアント装置１０２の表示内容処理制御部５０１は、文書管理サーバ装置１０１から送信されたプロパティ画面情報により図６に示すようなフォルダのプロパティ画面をＬＣＤ４０６に表示する。また、クライアント装置１０２の表示内容処理制御部５０１は、文書管理サーバ装置１０１から送信されたフォルダ情報及び関連フォルダ選択ツリー表示フォルダ情報を、クライアント装置の記憶部５０２に記憶する。
【００７３】
ステップＳ１１０５において、ユーザによってチェックボックスが選択される。例として、図７のように選択チェックボックス６０４にチェックが入った場合を検討する。
【００７４】
ステップＳ１１０６において、クライアント装置１０２の表示内容処理制御部５０１は、記憶部５０２から選択されたフォルダ（図７に示す例ではＢ１１）のアクセス権情報を取得する。
【００７５】
ステップＳ１１０７において、クライアント装置１０２の表示内容処理制御部５０１は、取得したアクセス権情報より、ユーザが選択可能なショートカット作成パターンをＬＣＤ４０６に表示する。本明細書では、ユーザが選択可能なショートカット作成パターンは、「選択ショートカット作成パターン」とも称呼される。図７に示す例では、「単方向［受］」７０２と、「単方向［送］」７０３と、「双方向」７０４とが表示されている。
【００７６】
<選択ショートカット作成パターンの選択、実行によるショートカット作成処理>
図７又は図８に示すような状態で、実行ボタンをクリックすると、ショートカット作成リクエストが、クライアント装置１０２から文書管理サーバ装置１０１に送信される。図１２は、文書管理サーバ装置１０１がクライアント装置１０２からのショートカット作成リクエストを受信したときのショートカット作成処理の流れを示すフローチャートである。
【００７７】
ステップＳ１２０１において、文書管理サーバ装置１０１は、リクエスト情報として、基準フォルダ、選択フォルダ、及びショートカット作成パターンに関する情報を受信する。受信した基準フォルダ、選択フォルダ、及びショートカット作成パターンに関する情報は、ショートカット管理情報として文書管理サーバ装置１０１の記憶部３０２に記憶される。
【００７８】
ステップＳ１２０２において、文書管理サーバ装置１０１の表示内容生成部３０１は、ショートカット管理情報から設定変更されたフォルダ情報を記憶部３０２から取得する。
【００７９】
ステップＳ１２０３において、選択されたフォルダの数だけ、ステップＳ１２０４の処理と、ステップＳ１２０５〜ステップＳ１２０８の何れかの処理とを繰り返す。
【００８０】
ステップＳ１２０４において、表示内容生成部３０１は、ショートカット作成パターンが「単方向［送］」と、「単方向［受］」と、「双方向」と、「マルチ」とのうちの何れであるかを判断する。
【００８１】
ステップＳ１２０４において、表示内容生成部３０１が、ショートカット作成パターンが「単方向［送］」であると判断した場合、ステップＳ１２０５において、表示内容生成部３０１は、「単方向［送］」でショートカット作成する処理を行う。ステップＳ１２０５の処理は後述する（図１３を参照）。
【００８２】
ステップＳ１２０４において、表示内容生成部３０１が、ショートカット作成パターンが「単方向［受］」であると判断した場合、ステップＳ１２０６において、表示内容生成部３０１は、「単方向［受］」でショートカット作成する処理を行う。ステップＳ１２０６の処理は後述する（図１３を参照）。
【００８３】
ステップＳ１２０４において、表示内容生成部３０１が、ショートカット作成パターンが「双方向」であると判断した場合、ステップＳ１２０７において、表示内容生成部３０１は、「双方向」でショートカット作成する処理を行う。ステップＳ１２０７の処理は後述する（図１３を参照）。
【００８４】
ステップＳ１２０４において、表示内容生成部３０１が、ショートカット作成パターンが「マルチ」であると判断した場合、ステップＳ１２０８において、表示内容生成部３０１は、「マルチ（１）」の処理を行う。ステップＳ１２０８の処理は後述する（図１４を参照）。
【００８５】
ステップＳ１２０９において、表示内容生成部３０１が、ショートカット作成パターンが「マルチ」であると判断した場合、ステップＳ１２１０において、表示内容生成部３０１は、「マルチ（２）」の処理を行う。ステップＳ１２１０の処理は後述する（図１４を参照）。
【００８６】
図１３は、図１２のステップＳ１２０５「単方向［送］」、ステップＳ１２０６「単方向［受］」、ステップＳ１２０７「双方向」の詳細な処理の流れを示すフローチャートである。
【００８７】
<単方向［送］>
ステップＳ１３０１において、表示内容生成部３０１は、これより記憶部３０２から作成しようとしている基準フォルダのショートカットが選択フォルダ下に既に存在するか否かを判断する。表示内容生成部３０１が基準フォルダのショートカットが選択フォルダ下に存在しないと判断した場合、ステップＳ１３０２において、表示内容生成部３０１は、基準フォルダのショートカットを選択フォルダ下に作成する。表示内容生成部３０１が基準フォルダのショートカットが選択フォルダ下に存在すると判断した場合、処理は行われない。
【００８８】
<単方向［受］>
ステップＳ１３０３において、表示内容生成部３０１は、これより記憶部３０２から作成しようとしている選択フォルダのショートカットが基準フォルダ下に既に存在するか否かを判断する。表示内容生成部３０１が選択フォルダのショートカットが基準フォルダ下に存在しないと判断した場合、ステップＳ１３０４において、表示内容生成部３０１は、選択フォルダのショートカットを基準フォルダ下に作成する。表示内容生成部３０１が基準フォルダのショートカットが基準フォルダ下に存在すると判断した場合、処理は行われない。
【００８９】
<双方向>
ステップＳ１３０５において、表示内容生成部３０１は、「単方向［送］」(ステップＳ１３０１〜ステップＳ１３０２)の処理を行う。次いで、ステップＳ１３０６において、表示内容生成部３０１は、「単方向［受］」(ステップＳ１３０３〜ステップＳ１３０４)の処理を行う。ステップＳ１３０５とステップ１３０６の順番は逆でもよい。
【００９０】
図１４は、図１２のステップＳ１２０８「マルチ（１）」、ステップＳ１２１０「マルチ（２）」」の詳細な処理の流れを示すフローチャートである。
【００９１】
<マルチ（１）>
ステップＳ１４０１において、表示内容生成部３０１は、「双方向」(図１３のステップＳ１３０５、ステップＳ１３０６)の処理を行う。ステップＳ１４０２において、表示内容生成部３０１は、「マルチ」を選択されたフォルダの情報を記憶部３０２に記憶する。
【００９２】
<マルチ（２）>
ステップＳ１４０３において、表示内容生成部３０１は、「マルチ」を選択されたフォルダの情報を記憶部３０２から取得する。
【００９３】
ステップＳ１４０４において、表示内容生成部３０１は、取得した「マルチ」を選択されたフォルダの情報を用いて「マルチ」を選択されたフォルダのペアの総組み合わせで以下のステップＳ１４０５〜ステップＳ１４０９の処理を行う。図１４に示すように、フォルダのペアをＡi、Ｂiとする。ただし、iは組み合わせ番号である。i＝０で処理は開始し、i＞ペアの総組み合わせ数＋１で、処理のループを抜ける。
【００９４】
ステップＳ１４０５において、表示内容生成部３０１は、フォルダＢi下にフォルダＡiのショートカットが既に存在しているか否かを判断する。
【００９５】
ステップＳ１４０５においてフォルダＢi下にフォルダＡiのショートカットが存在しないと判断された場合、ステップＳ１４０６において、表示内容生成部３０１は、フォルダＡiのショートカットをフォルダＢi下に作成する。次いで、処理は、ステップＳ１４０７に進む。ステップＳ１４０５においてフォルダＢi下にフォルダＡiのショートカットが存在すると判断された場合、処理は、ステップＳ１４０７に進む。
【００９６】
ステップＳ１４０７において、表示内容生成部３０１は、フォルダＡi下にフォルダＢiのショートカットが既に存在しているか否かを判断する。
【００９７】
ステップＳ１４０７においてフォルダＡi下にフォルダＢiのショートカットが存在しないと判断された場合、ステップＳ１４０８において、表示内容生成部３０１は、フォルダＢiのショートカットをフォルダＡi下に作成する。次いで、処理は、ステップＳ１４０９に進む。ステップＳ１４０７においてフォルダＡi下にフォルダＢiのショートカットが存在すると判断された場合、ステップＳ１４０９に進む。
【００９８】
ステップＳ１４０９において、表示内容生成部３０１は、組み合わせ番号iを一つ上げる。
【実施例２】
【００９９】
本発明の第２の実施例（実施例２）を図１５、図１６、及び図１７に基づき説明する。実施例２に係るショートカット作成処理が実施例１に係るフォルダショートカット作成処理と異なる点は、選択フォルダ内の文書のショートカットを基準フォルダ下に作成する点及び基準文書のショートカットを選択フォルダ下に作成する点である。
【０１００】
［文書ショートカット作成処理］
以下、図１５、図１６を用いて、本実施例における作成パターン選択による文書ショートカット作成処理方法を説明する。
【０１０１】
図１５は、ユーザが関連フォルダ・文書選択ツリー表示部１５０１に表示された文書のチェックボックス１５０２を選択したときの様子を示している。文書のチェックボックス１５０２にチェックを入れると、選択した文書の横に、選択した文書のショートカット名入力テキストボックス１５０３、ショートカット作成パターン１５０４（本実施例では「単方向［受］」）、ラジオボックス１５０５が表示される。ユーザは、ラジオボックス１５０５にチェックを入れることで、ショートカット作成パターンを選択する。図１５に示すような作成パターン「単方向［受］」１５０４を選択、実行した場合、選択文書（本実施例では文書Ｃ１１.txt）のショートカット（本実施例ではＣ１１txt_ＳＣ）を基準フォルダ（本実施例ではフォルダＡ１)下に作成する処理を行う。
【０１０２】
図１６は、文書プロパティ画面１６００で、ユーザが関連フォルダ選択ツリー表示部１６０１に表示されたフォルダのチェックボックスを選択したときの様子を示している。フォルダのチェックボックスにチェックを入れると、選択したフォルダの横に、ショートカット作成パターン１６０２（本実施例では「単方向［送］」）、ショートカット作成パターンを選択するラジオボックス１６０３が表示される。図１６に示すような作成パターン「単方向［送］」１６０２を選択、実行した場合、基準文書（本実施例では文書Ａ１)のショートカット（本実施例ではＡ１_ＳＣ）を選択フォルダ（本実施例ではフォルダＢ１１)下に作成する処理を行う。
【０１０３】
以下、フローチャート図１７を交えて本実施例に係る処理の流れについて説明する。
【０１０４】
<文書ショートカット作成処理>
図１５又は図１６に示すような状態で、実行ボタンをクリックすると、ショートカット作成リクエストが、クライアント装置１０２から文書管理サーバ装置１０１に送信される。図１７は、文書管理サーバ装置１０１がクライアント装置１０２からの文書ショートカット作成リクエストを受信したときのショートカット作成処理の流れを示すフローチャートである。
【０１０５】
ステップＳ１７０１において、文書管理サーバ装置１０１は、リクエスト情報として、基準アイテム情報、選択アイテム情報、及びショートカット作成パターン情報を受信する。受信した基準アイテム情報、選択アイテム情報、及びショートカット作成パターン情報は、ショートカット管理情報として文書管理サーバ装置１０１の記憶部３０２に記憶される。
【０１０６】
ステップＳ１７０２において、文書管理サーバ装置１０１の表示内容生成部３０１は、ショートカット管理情報から設定変更された基準アイテム情報、選択アイテム情報、及びショートカット作成パターン情報を記憶部３０２から取得する。次いで、表示内容生成部３０１は、取得した基準アイテム情報から基準アイテムがフォルダ又は文書の何れかであるかを判断する。表示内容生成部３０１が基準アイテムはフォルダであると判断した場合、処理は、ステップＳ１７０３に進む。表示内容生成部３０１が基準アイテムは文書であると判断した場合、処理は、ステップＳ１７０８に進む。
【０１０７】
ステップＳ１７０３において、表示内容生成部３０１は、取得した選択アイテム情報から選択アイテムがフォルダ又は文書の何れかであるかを判断する。表示内容生成部３０１が選択アイテムは文書であると判断した場合、処理は、ステップＳ１７０４に進む。表示内容生成部３０１が選択アイテムはフォルダであると判断した場合、処理は、ステップＳ１７０７に進む。
【０１０８】
ステップＳ１７０４において、選択された文書分、ステップＳ１７０５及びステップＳ１７０６の処理を繰り返す。
【０１０９】
ステップＳ１７０５において、表示内容生成部３０１は、選択文書のショートカットが基準フォルダ下に既に存在するか否かを判断する。選択文書のショートカットが基準フォルダ下に存在しないと判断された場合、処理は、ステップＳ１７０６に進む。選択文書のショートカットが基準フォルダ下に既に存在すると判断された場合、処理は行われない。
【０１１０】
ステップＳ１７０６において、表示内容生成部３０１は、選択文書のショートカットを基準フォルダ下に作成する。
【０１１１】
ステップＳ１７０７において、実施例１で説明したショートカット作成パターンによるフォルダショートカット作成処理を行う。フォルダショートカット作成処理の流れについては、後述する（図１７のステップＳ１７１１からステップＳ１７１８を参照）。
【０１１２】
ステップＳ１７０８において、選択されたフォルダ分、ステップＳ１７０９及びステップＳ１７１０の処理を繰り返す。
【０１１３】
ステップＳ１７０９において、表示内容生成部３０１は、基準文書のショートカットが選択フォルダ下に存在するか否かを判断する。基準文書のショートカットが選択フォルダ下に存在しないと判断された場合、処理は、ステップＳ１７１０に進む。基準文書のショートカットが選択フォルダ下に既に存在すると判断された場合、処理は行われない。
【０１１４】
ステップＳ１７１０において、表示内容生成部３０１は、基準文書のショートカットを選択フォルダ下に作成する。
【０１１５】
以下、ステップＳ１７０７における、フォルダショートカット作成処理の流れを説明する。
【０１１６】
ステップＳ１７１１において、選択されたフォルダの数だけステップＳ１７１２の処理と、ステップＳ１７１３〜ステップＳ１７１６の何れかの処理とを繰り返す。
【０１１７】
ステップＳ１７１２において、表示内容生成部３０１は、ショートカット作成パターンが「単方向［送］」と、「単方向［受］」と、「双方向」と、「マルチ」とのうちの何れであるかを判断する。
【０１１８】
ステップＳ１７１２において、表示内容生成部３０１が、ショートカット作成パターンが「単方向［送］」であると判断した場合、ステップＳ１７１３において、表示内容生成部３０１は、「単方向［送］」でショートカット作成する処理を行う。ステップＳ１７１３の処理は、実施例１と同様であるので、詳しい説明は省略する（図１３を参照）。
【０１１９】
ステップＳ１７１２において、表示内容生成部３０１が、ショートカット作成パターンが「単方向［受］」であると判断した場合、ステップＳ１７１４において、表示内容生成部３０１は、「単方向［受］」でショートカット作成する処理を行う。ステップＳ１７１４の処理は、実施例１と同様であるので、詳しい説明は省略する（図１３を参照）。
【０１２０】
ステップＳ１７１２において、表示内容生成部３０１が、ショートカット作成パターンが「双方向」であると判断した場合、ステップＳ１７１５において、表示内容生成部３０１は、「双方向」でショートカット作成する処理を行う。ステップＳ１７１５の処理は実施例１と同様であるので、詳しい説明は省略する（図１３を参照）。
【０１２１】
ステップＳ１７１２において、表示内容生成部３０１が、ショートカット作成パターンが「マルチ」であると判断した場合、ステップＳ１７１６において、表示内容生成部３０１は、「マルチ（１）」の処理を行う。ステップＳ１７１６の処理は実施例１と同様であるので、詳しい説明は省略する（図１４を参照）。
【０１２２】
ステップＳ１７１７において、表示内容生成部３０１は、ショートカット作成パターンが「マルチ」であるか否かを判断する。
【０１２３】
ステップＳ１７１７において、表示内容生成部３０１が、ショートカット作成パターンが「マルチ」であると判断した場合、ステップＳ１７１８において、「マルチ（２）」の処理を行う。ステップＳ１７１８の処理は、実施例１と同様であるので詳しい説明は省略する（図１４を参照）。ステップＳ１７１７において、表示内容生成部３０１が、ショートカット作成パターンが「マルチ」ではないと判断した場合、処理は行われない。
【０１２４】
本発明の実施例２により、選択フォルダの文書のショートカットを基準フォルダに作成することが可能となり、また、基準文書のショートカットを選択フォルダに作成することが可能となる。
【実施例３】
【０１２５】
本発明の第３の実施例（実施例３）を図１８、図１９、及び図２０に基づき説明する。実施例３に係るフォルダショートカット作成処理が実施例１に係るフォルダショートカット作成処理と異なる点は、作成したフォルダショートカットを、他のショートカットからの移動時のみ表示させることができる点である。
【０１２６】
［ショートカットからの移動時のみ、作成したフォルダショートカットを表示させる設定に関する処理］
以下、図１８及び図１９を用いて、本実施例におけるショートカットからの移動時のみ、作成したフォルダショートカットを表示させる方法を説明する。
【０１２７】
図１８は、「ホームショートカットリストに設定する」設定１８０１及び、「ショートカットからの移動時のみ表示させる」設定１８０２を選択したときの様子を示している。「ホームショートカットリストに設定する」設定１８０１は、基準フォルダのショートカットを文書管理サーバ装置のホーム画面のショートカットリストに表示させるための設定である。「ショートカットからの移動時のみ表示させる」設定１８０２は、ショートカットからの移動時のみ、作成したフォルダショートカットを表示させるための設定である。
【０１２８】
例として、基準フォルダ（図１８に示す例ではＡ１）のショートカットについて「ホームショートカットリストに設定する」設定１８０１を選択、実行した場合について説明する。この場合、文書管理サーバ装置の文書管理システムホーム画面１８０３のフォルダショートカットリスト表示部１８０４に基準フォルダのショートカット１８０５（図１８に示す例ではＡ１_ＳＣ）が表示される。
【０１２９】
次に、例として、「ショートカットからの移動時のみ表示させる」設定１８０２を選択、実行した場合について説明する。この場合、「ホームショートカットリストに設定する」設定１８０１が自動的に選択される。また、ショートカット作成パターン１８０６において、「単方向［送］」の表示がされなくなる。これは、「ショートカットからの移動時のみ表示させる」設定がされていることから、基準フォルダのショートカットを関連フォルダ下に作成した場合に作成した基準フォルダのショートカットを表示できないため、ショートカット作成の意味をなさないからである。
【０１３０】
図１９は、図１８に示す「ショートカットからの移動時のみ表示させる」設定１８０２を選択、実行したときの、フォルダショートカット選択からの移動及びフォルダ本体選択からの移動によるアイテムリストの表示の違いを示している。
【０１３１】
フォルダショートカットリスト表示部に表示されたショートカット１９０１を選択した場合、図１９中の符号１９０３で示すように、図１８に示す設定で作成したショートカット（即ちＢ１１_ＳＣ、Ｃ１１_ＳＣ）が表示される。しかし、アイテムリスト表示部１９００に表示されたフォルダ本体１９０２を選択した場合、図１９中の符号１９０４で示すように、図１８に示す設定で作成したショートカットは表示されない。
【０１３２】
以下、フローチャート図２０を交えて本システムに係る処理の流れについて説明する。
【０１３３】
<「ショートカットからの移動時のみ表示させる」設定の有無によって変化するアイテムリスト表示処理>
図２０は、本実施例に係る文書管理サーバ装置のホーム画面からフォルダ本体の選択及びショートカットの選択による移動リクエストで表示されるフォルダ下アイテムリストの生成処理の流れを示すフローチャートである。図２０に示すように、「ショートカットからの移動時のみ表示させる」設定の有無により、処理は分岐する。
【０１３４】
ステップＳ２００１において、文書管理サーバ装置１０１の表示内容生成部３０１は、文書管理サーバ装置１０１の記憶部３０２から、クライアント装置１０２からリクエストされたフォルダ下のアイテム情報を取得する。
【０１３５】
ステップＳ２００２において、文書管理サーバ装置１０１の表示内容生成部３０１は、取得したアイテム情報を用いてフォルダ下のアイテム分だけ、下記のステップＳ２００３〜ステップＳ２００７を繰り返す。
【０１３６】
ステップＳ２００３において、文書管理サーバ装置１０１の表示内容生成部３０１は、取得したアイテム情報より、リクエストされたフォルダ下の一アイテム（以下、「判断対象アイテム」と称呼する）がショートカットであるか否かを判断する。判断対象アイテムがショートカットであると判断された場合、処理はステップＳ２００４に進む。判断対象アイテムがショートカット以外（フォルダ又は文書等）であると判断された場合、処理はステップＳ２００７に進む。
【０１３７】
ステップＳ２００４において、文書管理サーバ装置１０１の表示内容生成部３０１は、判断対象アイテムであるショートカットが「ショートカット移動時のみ表示させる」設定されているか否かを判断する。ショートカットが「ショートカット移動時のみ表示させる」設定されていると判断された場合、処理はステップＳ２００５に進む。ショートカットが「ショートカット移動時のみ表示させる」設定されていないと判断された場合、処理はステップＳ２００７に進む。
【０１３８】
ステップＳ２００５において、文書管理サーバ装置１０１の表示内容生成部３０１は、クライアント装置１０２からのリクエストが、フォルダ本体選択によるリクエストと、フォルダショートカット選択によるリクエストとの何れであるかを判断する。クライアント装置１０２からのリクエストが、フォルダ本体選択によるリクエストであると判断された場合、処理はステップＳ２００６に進む。クライアント装置１０２からのリクエストが、フォルダショートカット選択によるリクエストであると判断された場合、処理はステップＳ２００７に進む。
【０１３９】
ステップＳ２００６において、文書管理サーバ装置１０１の表示内容生成部３０１は、判断対象アイテムであるショートカットをアイテムリスト表示部１９００に追加しない。
【０１４０】
ステップＳ２００７において、文書管理サーバ装置１０１の表示内容生成部３０１は、判断対象アイテムをアイテムリスト表示部１９００へ追加する。
【０１４１】
本実施例に係る方法により、本発明により作成したショートカットをショートカット選択からの移動時のみ表示することが可能となる。
【０１４２】
（その他の実施例）
また、本発明の目的は、以下の処理を実行することによっても達成される。即ち、上述した実施例の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施例の機能を実現することになり、そのプログラムコード及び該プログラムコードを記憶した記憶媒体は本発明を構成することになる。
【図１】
2014119886.tif 000003
【図２】
2014119886.tif 000004
【図３】
2014119886.tif 000005
【図４】
2014119886.tif 000006
【図５】
2014119886.tif 000007
【図６】
2014119886.tif 000008
【図７】
2014119886.tif 000009
【図８】
2014119886.tif 000010
【図９】
2014119886.tif 000011
【図１０】
2014119886.tif 000012
【図１１】
2014119886.tif 000013
【図１２】
2014119886.tif 000014
【図１３】
2014119886.tif 000015
【図１４】
2014119886.tif 000016
【図１５】
2014119886.tif 000017
【図１６】
2014119886.tif 000018
【図１７】
2014119886.tif 000019
【図１８】
2014119886.tif 000020
【図１９】
2014119886.tif 000021
【図２０】
2014119886.tif 000022